(57)【要約】【課題】外観デザインの自由度を向上し、かつ、持ち運びの利便性を向上できるプロジェクタを提供する。【解決手段】プロジェクタ１の下部筐体であるロアーケース１２には、台等への設置用の脚部２４、２５が設けられた設置面１２Ａに、該設置面１２Ａに沿ってスライド自在に取り付けられ、該設置面１２Ａの外周端縁から起立する側面から突没するハンドル２９が設けられている。プロジェクタ１の設置面１２Ａは、通常、設置の関係から平坦面状に形成されることが多いので、このような設置面１２Ａにハンドル２９を取り付けても、筐体２の上面および側面等の外観デザインが損なわれることがない。【選択図】  図１２
2004272093.tif 000002
【特許請求の範囲】
【請求項１】
光源と、この光源から射出された光束を画像情報に応じて変調して光学像を形成する光変調装置と、前記光変調装置により形成された光学像を拡大投写する投写レンズと、これらを収納する筐体とを備えたプロジェクタであって、
前記筐体は、台等への設置用の脚部が設けられた設置面と、この外周端縁から起立する側面とを備え、
前記設置面には、該設置面に沿ってスライド自在に取り付けられ、前記側面から突没するハンドルが設けられていることを特徴とするプロジェクタ。
【請求項２】
請求項１に記載のプロジェクタにおいて、
前記ハンドルは、前記投写方向先端側の側面から突没自在にスライドすることを特徴とするプロジェクタ。
【請求項３】
請求項１または請求項２に記載のプロジェクタにおいて、
前記ハンドルは、手で握る把手部の両端から延びる一対の腕部を備えた略門型状に構成され、
前記腕部のハンドル突出方向基端側には、該腕部の径方向外側に突出する突出部材が設けられ、
前記筐体には、前記ハンドルのスライド方向に延び、前記突出部材をスライド直交方向に挟持して該ハンドルを案内するガイド溝が形成され、
このガイド溝の先端および後端には、前記突出部材と係合し前記ハンドルのスライドを規制するスライド規制部が設けられていることを特徴とするプロジェクタ。
【請求項４】
請求項３に記載のプロジェクタにおいて、
前記設置面には、前記腕部を前記筐体内部に収納する孔が形成され、
前記ガイド溝は、筐体内面に形成された第１案内面と、この第１案内面に対向配置される第２案内面を備え、
この第２案内面は、前記筐体とは別部材により形成されていることを特徴とするプロジェクタ。
【請求項５】
請求項３または請求項４に記載のプロジェクタにおいて、
ガイド溝先端側のスライド規制部は、前記突出部材の係合位置を中心として、前記ハンドルを回動自在に保持することを特徴とするプロジェクタ。
【請求項６】
請求項５に記載のプロジェクタにおいて、
前記ハンドルの回動角は、９０°未満であることを特徴とするプロジェクタ。
【請求項７】
請求項５または請求項６に記載のプロジェクタにおいて、
前記把手部の前記筐体に対向する面は、当該プロジェクタを側面から見たときに、プロジェクタ本体の重心位置と前記ハンドルの回転中心を結ぶ線に対して略直交する傾斜面とされることを特徴とするプロジェクタ。
【発明の詳細な説明】
【０００１】
【発明の属する技術分野】
本発明は、光源と、この光源から射出された光束を画像情報に応じて変調して光学像を形成する光変調装置と、前記光変調装置により形成された光学像を拡大投写する投写レンズと、これらを収納する筐体とを備えたプロジェクタに関する。
【０００２】
【背景技術】
従来、プロジェクタは主として、企業での会議、学会、展示会等でのプレゼンテーションの用途に供されることが多く、また、プレゼンテーションの会場等に持ち運ばれて使用される場合が多い。このため、持ち運びの利便性の向上を図るべく、プロジェクタの筐体側面にハンドルを設けたものが知られている（例えば、特許文献１参照）。
【０００３】
一方、近年、プロジェクタに関しては、上述したプレゼンテーションの用途だけでなく、家庭で使用するホームシアター等の用途の需要が増大し、プロジェクタは飛躍的に普及している。このため、家電用品として、プロジェクタの外観デザインも重要な要素となっている。
【０００４】
また、製造者にとっては、企業でのプレゼンテーションと、家庭でのホームシアターとの両用途において、部品を共有できることがプロジェクタの生産管理上好ましく、外観デザインに優れ、かつ、持ち運び用途としてハンドル等が予め設けられたものが要望されていた。
【０００５】
【特許文献１】
特開２００２−１０７８１６号公報
【０００６】
【発明が解決しようとする課題】
しかしながら、従来のように、ハンドルを筐体の側面に取り付けるとすると、外観デザイン上の制約、特に、プロジェクタの外観を曲面状にする場合に大きな制限が課されるという課題がある。
【０００７】
本発明の目的は、外観デザインの自由度を向上し、かつ、持ち運びの利便性を向上できるプロジェクタを提供することにある。
【０００８】
【課題を解決するための手段】
本発明のプロジェクタは、光源と、この光源から射出された光束を画像情報に応じて変調して光学像を形成する光変調装置と、前記光変調装置により形成された光学像を拡大投写する投写レンズと、これらを収納する筐体とを備えたプロジェクタであって、前記筐体は、台等への設置用の脚部が設けられた設置面と、この外周端縁から起立する側面とを備え、前記設置面には、該設置面に沿ってスライド自在に取り付けられ、前記側面から突没するハンドルが設けられていることを特徴とする。
【０００９】
本発明によれば、ハンドルは、筐体の設置面に設けられている。プロジェクタの設置面は、通常、設置の関係から平坦面状に形成されることが多く、曲面状等の特殊な面状とされることは極めて少ない。このことにより、このような設置面にハンドルを取り付けても、筐体の上面および側面等の外観デザインが損なわれることもない。従って、筐体のデザインの自由度を向上することができ、かつ、持ち運びの利便性の向上を図ることができる。
【００１０】
本発明では、前記ハンドルは、投写方向先端側の側面から突没自在にスライドすることが好ましい。
本発明によれば、ハンドルは、投写方向先端側の側面から突没するので、棚等の収納位置にプロジェクタが配置されている場合でも、容易にハンドルを引き出してプロジェクタを取り出すことができる。また、ハンドルを握ってプロジェクタを持ち運ぶ場合、投写レンズが上を向くこととなるため、筐体から露出する投写レンズをぶつける可能性が低くなる。
【００１１】
本発明では、前記ハンドルは、手で握る把手部の両端から延びる一対の腕部を備えた略門型状に構成され、腕部のハンドル突出方向基端側には、該腕部の径方向外側に突出する突出部材が設けられ、前記筐体には、ハンドルのスライド方向に延び、突出部材をスライド直交方向に挟持して該ハンドルを案内するガイド溝が形成され、このガイド溝の先端および後端には、突出部材と係合しハンドルのスライドを規制するスライド規制部が設けられていることが好ましい。
本発明によれば、ガイド溝によりハンドルを設置面にスライド自在に取り付けることが可能となり、スライド規制部により、ガイド溝の先端または後端部分でハンドルのスライドを規制できる。
【００１２】
本発明では、前記設置面には、腕部を筐体内部に収納する孔が形成され、ガイド溝は、筐体内面に形成された第１案内面と、この第１案内面に対向配置される第２案内面を備え、この第２案内面は、筐体とは別部材により形成されていることが好ましい。
本発明によれば、第２案内面が筐体と別部材で形成されるため、まず、設置面に形成された孔を介して、筐体内面の第１案内面にハンドルの腕部を設置し、その後、筐体とは別部材から形成される第２案内面を、第１案内面に対向するように配置するだけで、ハンドルを筐体に取り付けることができる。従って、ハンドルの取り付け作業を容易に行うことができる。
【００１３】
本発明では、ガイド溝先端側のスライド規制部は、前記突出部材の係合位置を中心として、前記ハンドルを回動自在に保持することが好ましい。
この場合、前記ハンドルの回動角は、９０°未満であることが好ましい。
本発明によれば、ハンドルが突出すると、ハンドルに設けられた突出部材とガイド溝の先端に形成されたスライド規制部との係合位置を中心として、ハンドルは回動が許容される。従って、持ち運び時に、ハンドルの腕部の延長線上にプロジェクタの重心を位置させることができ、安定してプロジェクタを持ち運ぶことができる。
また、ハンドルの回動角は９０°未満であるので、ハンドルの不要な回動を抑えることができ、安定してプロジェクタを持ち運ぶことができるほか、ハンドル自体が邪魔になることを防止できる。
【００１４】
本発明では、前記把手部の前記筐体に対向する面は、当該プロジェクタを側面から見たときに、プロジェクタ本体の重心位置と前記ハンドルの回動中心を結ぶ線に対して略直交する傾斜面とされることが好ましい。
本発明によれば、持ち運び時に、このような傾斜面となっていることにより、把手部がプロジェクタの設置面から回動して傾斜し、この傾斜面が水平となる。従って、把手部を握り易くすることができる。
【００１５】
【発明の実施の形態】
以下、本発明の実施の一形態を図面に基づいて説明する。
（１）外観構成
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。
プロジェクタ１は、光源から射出された光束を画像情報に応じて変調し、スクリーン等の投写面上に拡大投写する。このプロジェクタ１は、図１ないし図３に示すように、略直方体状の外装ケース２、およびこの外装ケース２から露出する投写レンズ３を備えている。
投写レンズ３は、プロジェクタ１の本体部分により画像情報に応じて変調された光学像を拡大投写する。この投写レンズ３は、筒状の鏡筒内に複数のレンズが収納された組レンズとして構成され、複数のレンズの相対位置を変更するレバー３Ａ（図１）を備え、投写像のフォーカス調整、および倍率調整可能に構成されている。
【００１６】
外装ケース２は、合成樹脂製の筐体であり、プロジェクタ１の本体部分を収納する。この外装ケース２は、図１ないし図３に示すように、プロジェクタ１の上部分を覆うアッパーケース１１と、プロジェクタ１の下部分を覆うロアーケース１２と、プロジェクタ１の背面部分を覆うリアケース１３（図３）とを備えている。これらアッパーケース１１、ロアーケース１２およびリアケース１３は、ねじ等により固定され、適宜着脱可能に構成されている。
アッパーケース１１は、図１ないし図３に示すように、プロジェクタ１の上面、前面、および側面をそれぞれ構成する上面部１１Ａ、前面部１１Ｂ、および側面部１１Ｃ（図１），１１Ｄ（図２、図３）を含んで構成される。
【００１７】
このうち、上面部１１Ａおよび前面部１１Ｂは、図１または図３に示すように、プロジェクタ１の上面から前面にかけて、凸曲面を有するように連続して形成されている。また、前面部１１Ｂの左右方向両端部、上面部１１Ａの左右方向両端部、および上面部１１Ａの後方側端部には、面取加工が施され、この加工部分１１１が上面部１１Ａおよび前面部１１Ｂを囲うように連続して形成されている。
【００１８】
この上面部１１Ａにおいて、後方側略中央部分には、図１または図３に示すように、プロジェクタ１の起動・調整操作を実施する操作パネル１４が左右方向に延びるように設けられている。この操作パネル１４は、押釦スイッチで構成され、複数の操作ボタン１４１を適宜押下することにより、操作パネル１４内部に配置される図示しない回路基板に実装されたタクトスイッチと接触し、所望の操作が可能となる。また、この操作パネル１４は、操作ボタン１４１を囲うように化粧板１４２が設けられている。この化粧板１４２は、導光板としての機能を有し、プロジェクタ１の駆動時には、各操作ボタン１４１に応じた位置に、操作名称が発光するように構成されている。
なお、前述した操作パネル１４の回路基板は、後述する制御基板と電気的に接続され、操作ボタン１４１の押下に伴う操作信号は、制御基板に出力される。
また、この上面部１１Ａにおいて、前方側略中央部分には、複数の孔１５が形成され、この内側に配置される図示しないスピーカから該孔１５を介して音声が出力される。
さらに、この上面部１１Ａにおいて、前方から見て右側部分には、図１に示すように、前述した投写レンズ３のレバー３Ａを露出させ、該レバー３Ａの操作を可能にする切り欠き１６が形成されている。
【００１９】
また、この前面部１１Ｂにおいて、前方から見て左側部分には、図１に示すように、排気口１７が形成され、内部に配置される冷却ファンから排気される空気が該排気口１７を介して排出される。また、この排気口１７には、左右方向に延び、それぞれ平行に配列する複数の羽根板１７Ａ１を有するルーバ１７Ａが取り付けられている。このルーバ１７Ａは、排出される空気を整流するとともにプロジェクタ１内外間の遮光機能も備えている。
さらに、この前面部１１Ｂにおいて、前方から見て右側部分には、図１に示すように、前述した切り欠き１６と連続し、略円形状の切り欠き１８が形成されている。そして、この切り欠き１８は、投写レンズ３の先端部分を露出させている。
さらにまた、この前面部１１Ｂにおいて、前方から見て上方側略中央部分には、図１に示すように、リモコン受光窓１９が形成されている。そして、このリモコン受光窓１９の内側には、後述するリモートコントローラからの操作信号を受信する図示しないリモコン受光モジュールが配置されている。
なお、図示しないリモコン受光モジュールは、後述する制御基板と電気的に接続され、該リモコン受光モジュールにて受信した操作信号は、制御基板に出力される。また、図示は省略するが、これらリモコン受光窓およびリモコン受光モジュールは、プロジェクタ１の背面側にも設けられている。そして、プロジェクタ１の前方および後方の双方からリモートコントローラを用いてプロジェクタ１の遠隔操作を実施できるように構成されている。
【００２０】
側面部１１Ｃ、１１Ｄは、図１ないし図３に示すように、前述した上面部１１Ａおよび前面部１１Ｂの形状に対応して、前方に向かうにしたがって下方に曲折し、後方に向かうにしたがって背面側に曲折する形状を有している。
【００２１】
ロアーケース１２は、図１ないし図３に示すように、プロジェクタ１の底面、側面、および背面の一部をそれぞれ構成する底面部１２Ａ（図２）、側面部１２Ｂ（図１），１２Ｃ（図２、図３）、および背面部１２Ｄ（図３）を含んで構成される。
このうち、底面部１２Ａは、図２に示すように、略平板状の底面部分から斜め上方に向けて突出する突出部１２Ａ１が形成されている。この突出部１２Ａ１は、アッパーケース１１とロアーケース１２とが接続された状態で、アッパーケース１１の加工部分１１１と連続するように形成されている。そして、この底面部１２Ａは、プロジェクタ１の底面を構成するとともに、アッパーケース１１の前面部１１Ｂと接続してプロジェクタ１の前面を構成する。
【００２２】
この底面部１２Ａにおいて、下方から見て左側略中央部分には、矩形状の開口２１が形成されている。この開口２１には、該開口２１を覆うランプカバー２２が着脱自在に設けられている。
また、この底面部１２Ａにおいて、下方から見て右側で後方側の隅部は、内側に凹む段付き形状を有している。そして、この隅部には、外部から冷却空気を吸入するための吸気口２３が形成されている。この吸気口２３には、該吸気口２３を覆う吸気口カバー２３Ａが着脱自在に設けられている。この吸気口カバー２３Ａには、複数の開口２３Ｂが形成されている。そして、これら開口２３Ｂ内側には、図示しないエアフィルタが設けられており、内部への塵埃の侵入を防止している。
【００２３】
さらに、この底面部１２Ａにおいて、下方から見て後方側略中央部分には、プロジェクタ１の脚部を構成する固定脚部２４が設けられている。また、底面部１２Ａにおける前方側の左右角隅部分には、同じくプロジェクタ１の脚部を構成する調整脚部２５が設けられている。
このうち、調整脚部２５は、底面部１２Ａから面外方向に進退自在に突出する軸状部材から構成され、プロジェクタ１の投写時における該プロジェクタ１の前後方向および左右方向の傾斜位置を調整可能としている。
また、この底面部１２Ａにおいて、固定脚部２４の左右両側には、プロジェクタ１内外に空気を流通可能とする空気流通孔２６、２７が形成されている。この空気流通孔２６、２７を介して流通する空気により、該空気流通孔２６、２７に対応して配置されるプロジェクタ１内部の構成部材に発生する熱を放熱させている。
【００２４】
さらにまた、この底面部１２Ａにおいて、前方側略中央部分には、投写方向に延びる２つの膨出部２８が形成されている。この膨出部２８は、中空状に形成され、その内側には、突出部１２Ａ１に形成された２つの孔１２Ａ２を介して、プロジェクタ１を運搬する際に利用されるハンドル２９が設置されている。ハンドル２９は、詳しくは後述するが、通常、ロアーケース１２の内部に収納されている。
【００２５】
側面部１２Ｂ，１２Ｃは、図１ないし図３に示すように、前方側が上方から下方に向けて曲折する形状を有し、投写方向略中央部分が上方に向かうにしたがって外側に拡がる凹曲面状に形成され、後方端部が背面側に曲折するように形成されている。そして、これら側面部１２Ｂ，１２Ｃは、アッパーケース１１の側面部１１Ｃ、１１Ｄと接続してプロジェクタ１の側面を構成する。
これら側面部１２Ｂ，１２Ｃにおいて、前方側には、図２または図３に示すように、底面部１２Ａに設けられた調整脚部２５に対応して調整ボタン３０が設けられている。そして、この調整ボタン３０を押下することにより、調整脚部２５が進退駆動し、プロジェクタ１の前後方向および左右方向の傾斜位置が調整される。なお、図２または図３では、側面部１２Ｃに設けられた調整ボタン３０のみが示されているが、側面部１２Ｂも同様に調整ボタン３０が設けられている。
【００２６】
背面部１２Ｄは、後方側に凸となる凸曲面を有するように形成されている。この背面部１２Ｄにおいて、後方から見て右側には、図３に示すように、矩形状の開口３２が形成され、この開口３２を介してインレットコネクタ３３が露出する。また、この背面部１２Ｄの内側には、図示は省略するが、リアケース１３の下端を支持する支持部、およびリアケース１３を上方から嵌め込むための溝部が形成されている。
【００２７】
図４は、リアケース１３を上方から見た平面図である。
リアケース１３は、図３に示すように、ロアーケース１２の背面部１２Ｄの内側に形成された図示しない溝部に嵌め込み式で固定され、アッパーケース１１とロアーケース１２とが接続された状態で背面に形成される開口部分を塞ぐ。このリアケース１３は、図３または図４に示すように、略矩形状の板体１３１と、この板体１３１の下端縁から該板体１３１に略直交して突出する突出部１３２と、同様に板体１３１の上端縁から突出する突出部１３３（図４）と、板体１３１の左右方向略中央部分から略直交して突出し、リアケース１３を２つの領域に区画する隔壁１３４とを備える。
このうち、突出部１３２，１３３の先端は、図４に示すように、後方側に凸となるように形成されている。そして、アッパーケース１１、ロアーケース１２、およびリアケース１３を組み立てた状態では、突出部１３２の先端は、ロアーケース１２の背面部１２Ｄの上端と接続し、突出部１３３の先端は、アッパーケース１１の上面部１１Ａの後方側端部と接続する。すなわち、リアケース１３の板体１３１は、プロジェクタ１の背面から内側に離隔配置されている。
以上、説明したアッパーケース１１、ロアーケース１２、およびリアケース１３の形状により、これらが組み立てられた外装ケース２は、上面、前面、側面、底面、および背面の角部分が適宜、省略され、略流線形状を有するように構成されている。
【００２８】
このリアケース１３において、隔壁１３４により区画された領域のうち、後方から見て左側に位置する領域の板体１３１には、図３に示すように、複数の孔１３１Ａが形成され、この複数の孔１３１Ａを介して、外部の電子機器からの画像信号、音声信号等を入力するための複数の接続端子３４が外部に露出している。この領域に位置する板体１３１の内側には、接続端子３４から入力される信号を処理する図示しないインターフェース基板が配置されている。
なお、このインターフェース基板は、後述する制御基板と電気的に接続され、インターフェース基板にて処理された信号は、制御基板に出力される。
【００２９】
図５は、リアケース１３におけるリモートコントローラ３５の設置位置を示す図である。
リアケース１３において、隔壁１３４により区画された領域のうち、後方から見て右側に位置する領域には、図３ないし図５に示すように、リモートコントローラ３５（図５）を収納するリモコン収納部３６が設けられている。
リモートコントローラ３５は、プロジェクタ１における電源のオンオフや、画像の再生および停止、音量の調節等を実施する図示しない複数の操作ボタンを有する。そして、このリモートコントローラ３５は、前述のリモコン受光窓１９を介して内部のリモコン受光モジュールに、離間位置から操作信号を送信して、プロジェクタ１の遠隔操作を実施する。
リモコン収納部３６は、図５に示すように、リアケース１３における区画された右側の領域に嵌合し、一方の端面に開口部３６１を有する箱状部材であり、透明または半透明な材料から構成され、内部が視認可能となっている。そして、このリモコン収納部３６は、図４に示すように、開口部３６１と対向する側の端部が、突出部１３２，１３３の後方から見て右側隅部分にて軸支され、プロジェクタ１の上面部１１Ａまたは底面部１２Ａと略直交する軸を中心として回動可能に構成されている。
【００３０】
（２）内部構成
図６、図７は、プロジェクタ１の内部構造を示す図である。具体的には、図６は、プロジェクタ１のアッパーケース１１を外した図であり、図７は、図６の状態から制御基板等をさらに外した図である。
外装ケース２の内部には、図６または図７に示すように、プロジェクタ１の本体部分が収納されており、この本体部分は、投写方向略中央部分で左右方向に延び、一方の端部が前方に延びる平面視略Ｌ字状の光学ユニット４（図７）と、この光学ユニット４の上方で投写レンズ３側に配置される制御基板５（図６）と、背面部分および一方の側面部分に沿って平面視略Ｌ字状に配置される電源ユニット６と、吸気口２３および排気口１７に応じた位置、および電源ユニット６の角隅部分に配置される３つの冷却ファンを含む冷却ユニット７（図７）とを備える。
【００３１】
（２−１）光学ユニット４の構造
図８は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図７または図８に示すように、インテグレータ照明光学系４１と、色分離光学系４２と、リレー光学系４３と、光変調装置および色合成光学装置を一体化した光学装置４４と、これら光学部品４１，４２，４３，４４を収納配置するライトガイド４５（図７）とに機能的に大別される。
インテグレータ照明光学系４１は、光源から射出された光束を照明光軸直交面内における照度を均一にするための光学系である。このインテグレータ照明光学系４１は、図８に示すように、光源装置４１１、第１レンズアレイ４１２、第２レンズアレイ４１３、偏光変換素子４１４、および重畳レンズ４１５を備えて構成される。
【００３２】
光源装置４１１は、放射光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて略平行光束とされ、外部へと射出される。本実施形態では、光源ランプ４１６として、高圧水銀ランプを採用し、リフレクタ４１７として、放物面鏡を採用している。なお、光源ランプ４１６としては、高圧水銀ランプに限らず、例えばメタルハライドランプやハロゲンランプ等を採用してもよい。また、リフレクタ４１７として放物面鏡を採用しているが、これに限らず、楕円面鏡からなるリフレクタの射出面に平行化凹レンズを配置した構成を採用してもよい。
【００３３】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００３４】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を略１種類の偏光光に変換し、光学装置４４における光の利用効率を高めている。なお、このような偏光変換素子４１４は、例えば、特開平８−３０４７３９号公報に紹介されている。
【００３５】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００３６】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００３７】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうちの青色光を通す構成としたが、これに限らず、例えば、赤色光を通す構成としてもよい。
【００３８】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂおよび射出側偏光板４４４と、色合成光学装置としてのクロスダイクロイックプリズム４４５とを備える。
【００３９】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２および視野角補正板４４３を介して入射する光束を画像情報に応じて変調して射出する。なお、この液晶パネル４４１Ｒ，４４１Ｇ，４４１Ｂは、図示しない保持枠により収納保持されている。
【００４０】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００４１】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００４２】
図９は、ライトガイド４５の構造を示す図である。
ライトガイド４５は、図７または図９に示すように、射出成形等による合成樹脂製品であり、上述した光学部品４１，４２，４３，４４が収納される下ライトガイド４５１と、この下ライトガイド４５１の上面の開口部分を塞ぐ上ライトガイド４５２とを備える。
下ライトガイド４５１は、光源装置４１１が収納される光源収納部４５１Ａと、光源装置４１１を除く他の光学部品が収納される容器状に形成された部品収納部４５１Ｂと、この部品収納部４５１Ｂの外側面に形成され、投写レンズ３が設置される投写レンズ設置部４５１Ｃとを備える。
【００４３】
光源収納部４５１Ａは、下方端面の開口部４５１Ａ１（図９）および部品収納部４５１Ｂ側の図示しない開口部を有する略箱状に形成されている。そして、この光源収納部４５１Ａには、ロアーケース１２の底面部１２Ａに設けられたランプカバー２２（図２）を介して光源装置４１１が収納される。また、この光源収納部４５１Ａの前方側端面には、スリット状の図示しない開口部が形成されている。同様に、光源収納部４５１Ａの後方側端面には、スリット状の開口部４５１Ａ２（図７）が形成されている。そして、これら開口部を介して空気が光源収納部４５１Ａ内外に流通可能となっている。
部品収納部４５１Ｂ内には、具体的な図示は省略するが、光学部品４１２〜４１５，４２１〜４２４，４３１〜４３５を上方からスライド式に嵌め込むための複数の溝部が形成されている。また、部品収納部４５１Ｂ内において、図７に示すように、投写レンズ設置部４５１Ｃの内側部分に光学装置４４が設置される。さらに、部品収納部４５１Ｂにおいて、光学装置４４の後段側の側面には、図９に示すように、光源装置４１１から射出される光束を透過させる開口部４５１Ｂ１が形成されている。さらにまた、この部品収納部４５１Ｂにおいて、底面部分には、図９に示すように、光学装置４４の３つの液晶パネル４４１Ｒ，４４１Ｇ，４４１Ｂに応じた位置に開口部４５１Ｂ２が形成され、光学装置４４の偏光変換素子４１４に応じた位置に開口部４５１Ｂ３が形成されている。
【００４４】
投写レンズ設置部４５１Ｃは、部品収納部４５１Ｂの開口部４５１Ｂ１の周縁に位置し、ライトガイド４５内に設定される照明光軸に対する所定位置に投写レンズ３を設置する。そして、光源装置４１１から射出され、光学装置４４にて形成された光学像が、開口部４５１Ｂ１を介して投写レンズ３により拡大投写される。
上ライトガイド４５２は、図７に示すように、下ライトガイド４５１の部品収納部４５１Ｂにおける光学装置４４の上方を除く上端開口部分を閉塞する。この上ライトガイド４５２には、表裏を貫通して複数の開口部（例えば、開口部４５２Ａ）が形成され、この開口部を介して下ライトガイド４５１内に収納された光学部品の姿勢調整が実施される。
【００４５】
（２−２）ハンドル２９およびハンドル収納部８０の構造
図１０は、ロアーケース１２の内面部１２Ｅを示す図であり、図１１は、ロアーケース１２の断面を示す図である。
図１０に示すように、ロアーケース１２の背面側の幅方向両端部には、投写レンズ３の投写方向と逆方向に突出し、上下方向に延びる突起３１が形成されている。これら突起３１は、突起３１と略同一にアッパーケース１１に形成された突起２０（図１２参照）と互いに接続されており、プロジェクタ１を縦置きする際の脚部として機能する。
また、前述した膨出部２８（図２参照）の内側には、ハンドル２９と、このハンドル２９を収納するハンドル収納部８０が設けられている。
【００４６】
ハンドル２９は、合成樹脂製の平面視略門型状の一体部材として構成され、全体として面取りを施された曲面形状である。ハンドル２９は、先端側に把手部２９１と、その両端から延びる腕部２９２とを備えている。
【００４７】
把手部２９１は、プロジェクタ１を持ち運ぶ際に、ハンドル２９を手で握るための部分である。図示は略したが、把手部２９１の断面は、略楕円形の一部を直線的に切り欠いた形状を有しており、この切り欠いた面は外装ケース２に対向している。すなわち、この面は、底面部１２Ａを下にしてプロジェクタ１を台等に設置したときに、設置面と対向する把手部２９１の底面から天面に向かうにしたがって外装ケース２に近接するように傾斜して形成されている。
【００４８】
腕部２９２は、把手部２９１の両端に形成されており、把手部２９１と略垂直に交差し、かつ、互いに略並行に延びる一対の軸状部材として形成されている。これら腕部２９２は、プロジェクタ１の運搬の際に、プロジェクタ１の荷重を支える部分である。
それぞれの腕部２９２の先端両側面には、ハンドル２９の幅方向に突出した略円柱状の突出部材２９３が設けられている。突出部材２９３は、ハンドル２９がロアーケース１２の底面部１２Ａからスライドして突出した際に、ハンドル２９のロアーケース１２側の端部で、ハンドル２９の回動中心となる。
【００４９】
ハンドル収納部８０は、孔１２Ａ２（図２参照）からプロジェクタ１の後方に向かう一対の突条に構成され、その凹部にハンドル２９の腕部２９２が収納される。このとき、ハンドル２９の把手部２９１は、孔１２Ａ２からロアーケース１２の外部に露出する。ここで、孔１２Ａ２は、それぞれの孔１２Ａ２の間隔がハンドル２９の幅寸法に合うように形成されている。
【００５０】
ハンドル収納部８０は、膨出部２８に応じてロアーケース１２の底面部１２Ａの内面を他の面から断面略凹状に凹ませた２つのレール８１と、これらレール８１を被覆する別部材としてのカバー部材８２とを備えている。
【００５１】
レール８１は、ハンドル２９を後端側にスライドさせたときにハンドル２９の腕部２９２を収納する部分である。レール８１の長さ寸法は、腕部２９２の長さ寸法と略同一となるように形成されており、また、レール８１の幅寸法は、腕部２９２の幅寸法と略同一となるように形成されている。このレール８１に沿った内面部１２Ｅの両側の面である内面８１Ａは、平坦面とされており、ハンドル２９の突出部材２９３が、この内面８１Ａに当接してスライドすることで、ハンドル２９のスライドが案内される。すなわち、内面８１Ａは、本発明の第１案内面に相当する。
【００５２】
内面８１Ａにおけるハンドル２９のスライド方向先端部には、ハンドル２９の突出部材２９３が当接し、ハンドル２９の先端方向へのスライド範囲を決める先端側範囲設定部８１Ｂが形成されている。この先端側範囲設定部８１Ｂは、内面８１Ａから垂直に起立し、後述するカバー部材８２の内面８２１Ａ１と上端が当接する突起として形成されている。
また、内面８１Ａにおけるハンドル２９のスライド方向先端側および基端側には、内面８１Ａから起立した凸状の突起としてのスライド規制部８１Ａ１が設けられている。スライド規制部８１Ａ１は、ハンドル２９の突出部材２９３と係合し、ハンドル２９のスライドを規制する。
【００５３】
ここで、ロアーケース１２の内面部１２Ｅにおいて、レール８１より投写方向先端側には、略Ｔ字状の当接部１２Ｅ１が、内面部１２Ｅと一体的に形成されている。また、レール８１の投写方向先端側の周辺には、中空円筒状で上端が開口した図示しない複数の嵌込部が、内面部１２Ｅと一体的に突設されている。これら当接部１２Ｅ１および嵌込部は、内面部１２Ｅにカバー部材８２を取り付ける際に、カバー部材８２の位置決めをするものである。
【００５４】
カバー部材８２は、レール８１および内面８１Ａを被覆する別部材として構成され、幅方向が長い略矩形状をした合成樹脂製の一体部材である。このカバー部材８２には、幅方向に互いに略平行に延出した連結部８２２、８２３と、これらにより連結されるガイド部８２１とを備えている。
【００５５】
連結部８２２、８２３は、カバー部材８２の先端および後端に配置されている。これらのうち、連結部８２２は、カバー部材８２の先端から略垂直に起立し、その上端で略垂直に曲折して投写方向に延出している。この延出部分の幅方向両端には、連結部８２２の下面から略垂下する棒状の嵌合部８２２Ａが設けられている。これら嵌合部８２２Ａは、ロアーケース１２の内面部１２Ｅに形成された前述の図示しない嵌込部と嵌合する。このような連結部８２２、８２３により、ガイド部８２１は連結されている。
【００５６】
ガイド部８２１は、カバー部材８２の幅方向両端部にそれぞれ設けられており、カバー部材８２を内面部１２Ｅに取り付ける際に、レール８１および内面８１Ａを覆うように配置される。このガイド部８２１の上面には、水平方向に延出した延出部８２１Ｂが形成されている。また、ガイド部８２１の幅方向の両側面には、これら側面に沿って、突出部８２１Ａが形成されている。
【００５７】
延出部８２１Ｂは、ガイド部８２１の先端部および後端部に、それぞれスライド直行方向および後端方向に延出して形成されている。延出部８２１Ｂには、孔８２１Ｃが穿設されており、これらの孔８２１Ｃには、カバー部材８２をロアーケース１２の内面部１２Ｅに取り付けるためのねじ等の取付具８２４が挿通する。
【００５８】
突出部８２１Ａは、ガイド部８２１の側面から面外方向に膨出し、内部が中空状に形成されている。この突出部８２１Ａは、ロアーケース１２にカバー部材８２を取り付けたときに、ハンドル２９の突出部材２９３を覆う部分である。
突出部８２１Ａの内部上面には、レール８１の内面８１Ａと対向する内面８２１Ａ１と、ハンドル２９のスライドを規制するスライド規制部８２１Ａ２が形成されている。また、突出部８２１Ａの後端には、ハンドル２９の後端側へのスライド範囲を設定する後端側範囲設定部８２１Ａ３が形成されている。
【００５９】
内面８２１Ａ１は、図１１に示すように、中央部分では上方に広がり、この中央部分から先端および後端に向かうにしたがって緩やかに傾斜し、先端部分および後端部分では中央部分に比べて狭まった形状をしている。この内面８２１Ａ１には、ハンドル２９の突出部材２９３が当接し、突出部材２９３が、内面８２１Ａ１に沿ってスライドすることで、ハンドル２９のスライドは案内される。つまり、内面８２１Ａ１は、本発明の第２案内面に相当する。
【００６０】
スライド規制部８２１Ａ２は、内面８２１Ａ１の先端部分および後端部分に、略凸状の突起として形成されている。これらスライド規制部８２１Ａ２は、レール８１に設けられたスライド規制部８１Ａ１（図１０参照）とともに、突出部材２９３と係合し、ハンドル２９のスライドを規制する。すなわち、突出部８２１Ａの先端および後端において、スライド規制部８１Ａ１、８２１Ａ２によって狭められた内面８１Ａと内面８２１Ａ１との間を、ハンドル２９の突出部材２９３が通過することによって、突出部材２９３がスライド規制部８１Ａ１、８２１Ａ２により係止され、ハンドル２９のスライドが規制される。
【００６１】
後端側範囲設定部８２１Ａ３は、内面８２１Ａ１の後端側から略垂下しレール８１の内面８１Ａと当接する部分である。後端側範囲設定部８２１Ａ３は、ハンドル２９の突出部材２９３の後端側のスライド範囲を設定し、レール８１に形成された先端側範囲設定部８１Ｂと併せて、突出部材２９３のスライド範囲が設定される。
【００６２】
ここで、ハンドル収納部８０におけるハンドル２９のスライド機構について説明する。
ハンドル収納部８０には、レール８１に形成された第１案内面としての内面８１Ａと、カバー部材８２の突出部８２１Ａに形成された第２案内面としての内面８２１Ａ１とにより、ハンドル２９の突出部材２９３のスライドを案内するガイド溝が形成されている。レール８１の幅寸法は、ハンドル２９の幅寸法と略同一であるので、レール８１の凹状の側面がハンドル２９の幅方向の案内面となる。これら案内面に沿って、ハンドル２９の突出部材２９３は、レール８１に形成された先端側範囲設定部８１Ｂと、カバー部材８２に形成された後端側範囲設定部８２１Ａ３との間をスライド範囲としてスライドする。このように突出部材２９３のスライドが許容され、これによりハンドル２９のスライドが許容される。
なお、スライド方向先端側および後端側では、突出部材２９３が、スライド規制部８１Ａ１、８２１Ａ２と係合してスライドが規制される。
【００６３】
ここで、ロアーケース１２へのハンドル２９の設置方法を説明する。
ハンドル２９の腕部２９２を、ロアーケース１２に形成された孔１２Ａ２を介して、ロアーケース１２の内面部１２Ｅに形成されたレール８１に設置する。この際、ハンドル２９の把手部２９１は、ロアーケース１２外部に露出し、かつ、把手部２９１のロアーケース１２に対向する面が底面方向に傾斜するように設置する。この後、カバー部材８２をロアーケース１２の内面部１２Ｅに取り付ける。カバー部材８２の内面８２１Ａ１を、レール８１の内面８１Ａに対向し、かつ、それぞれの面でハンドル２９の突出部材２９３を挟むように配置する。このカバー部材８２の配置位置については、内面部１２Ｅに形成された当接部１２Ｅ１により投写方向の位置決めがされ、前述の図示しない嵌込部により幅方向の位置決めがされる。位置決めされたカバー部材８２は、孔８２１Ｃを挿通する取付具８２４により、ロアーケース１２に固定される。これにより、ハンドル２９は、ロアーケース１２に取り付けられる。
【００６４】
以下に、ハンドル２９の回動について説明する。図１２は、ロアーケース１２の側面を示す図である。
プロジェクタ１の持ち運びに際してハンドル２９を使用する場合、ハンドル２９は、ハンドル収納部８０から投写方向に引き出される。引き出されたハンドル２９は、前述のようにスライドが規制される。このときハンドル２９は、突出部材２９３（図１０および図１１参照）を軸として回動自在とされる。この回動角は９０°未満とされ、不要な回動が抑制されている。引き出したハンドル２９の把手部２９１を把持してプロジェクタ１を吊り下げ状態とすると、プロジェクタ１の重心位置はハンドル２９の回動軸となる端部から略垂下する直線上に位置することを許容する。また、この状態では、把手部２９１の外装ケース２に対向する図示しない面は、プロジェクタ１の重心位置と、ハンドル２９の回動中心を結ぶ線に対して略直交する。
【００６５】
（３）実施形態の効果
本実施形態によれば、以下のような効果がある。
（３−１）ハンドル２９は、ロアーケース１２の底面部１２Ａに設けられている。このことから、外装ケース２の上面および側面等の外観デザインが損なわれることもない。従って、外装ケース２のデザインの自由度を向上することができ、かつ、持ち運びの利便性の向上を図ることができる。
【００６６】
（３−２）ハンドル２９は、投写方向先端側の側面、すなわち、ロアーケース１２の前面から投写方向に突没する。このことから、ハンドル２９に形成された把手部２９１を握ってプロジェクタを持ち運ぶ場合、投写レンズ３は上方を向くこととなる。従って、プロジェクタ１の持ち運び時に、外装ケース２から露出する投写レンズ３をぶつけて損傷する可能性を低くすることができる。
【００６７】
（３−３）ハンドル２９のスライドは、レール８１およびカバー部材８２から構成されるハンドル収納部８０によって案内される。また、このハンドル収納部８０に設けられたスライド規制部８１Ａ１、８２１Ａ２とハンドル２９の突出部材２９３との係合によって、ハンドル２９のスライドは、ハンドル収納部８０の先端および後端で規制される。このことから、ハンドル収納部８０を形成することにより、ハンドル２９を底面部１２Ａにスライド自在に取り付けることができる。また、スライド規制部８１Ａ１、８２１Ａ２により、ハンドル収納部８０の先端および後端部分で確実にハンドル２９のスライドを規制できる。
【００６８】
（３−４）ロアーケース１２の底面部１２Ａから突出する突出部１２Ａ１には、ハンドル２９の腕部２９２を収納する孔１２Ａ２が形成されている。この孔１２Ａ２からロアーケース１２の内面にハンドル収納部８０が形成されている。ハンドル収納部８０は、ロアーケース１２の内面部１２Ｅに形成されたレール８１の内面８１Ａと、外装ケース２とは別部材から構成されるカバー部材８２の内面８２１Ａ１とが対向配置されて形成されている。このことから、ハンドル２９の把手部２９１を、孔１２Ａ２を介して、ロアーケース１２外部に露出させ、ハンドル２９の腕部２９２をレール８１に設置する。その後、カバー部材８２の内面８２１Ａ１を、内面８１Ａに対向し、かつ、それぞれの面でハンドル２９の突出部材２９３を挟むように配置するだけで、ハンドル２９をロアーケース１２に取り付けることができる。従って、ハンドル２９の取り付け作業を容易に行うことができる。
【００６９】
（３−５）ハンドル２９は、ハンドル収納部８０から引き出された場合、先端側のスライド規制部８１Ａ１、８２１Ａ２と係合する突出部材２９３を軸として、回動が許容されている。このことから、プロジェクタ１を持ち運ぶ際に、プロジェクタ１の重心が中心から外れている場合でも、ハンドル２９の回動により、その回動中心から垂下する直線上にプロジェクタ１の重心を自動的に据えることができる。仮に、ハンドル２９が回動しないとすると、プロジェクタ１の中心から重心が外れていた場合、その負荷がハンドル２９にかかり、ハンドル２９が損傷する可能性がある。従って、ハンドル２９が回動しない場合と比べて、ハンドル２９が損傷する可能性を低くすることができ、また、安定してプロジェクタを持ち運ぶことができる。
【００７０】
（３−６）ハンドル２９の回動角は９０°未満であるので、ハンドル２９の不要な回動を抑えることができ、安定してプロジェクタ１を持ち運ぶことができる。また、誤ってハンドル２９を脚部として使われることを防止できる。
【００７１】
（３−７）ロアーケース１２に対向するハンドル２９の把手部２９１の面は傾斜面とされ、プロジェクタ１の重心位置とハンドル２９の回動中心を結ぶ線に対して略直交する。この傾斜面は、プロジェクタ１の持ち運びに際して略水平となる。従って、プロジェクタ１の持ち運び時に、把手部２９１を握りやすくすることができる。
【００７２】
（４）実施形態の変形
本発明は、前記実施形態に限定されるものではなく、本発明の目的を達成できる他の構成等を含み、以下に示すような変形等も本発明に含まれる。
前記実施形態では、ハンドル２９は平面視略門型状としたが、略Ｈ型状や略矩形状のハンドルも適用可能である。なお、略門型状とした場合、プロジェクタ１の外装ケース２内のスペースを有効に使用することができる。
また、ハンドル２９およびカバー部材８２は合成樹脂製としたが、金属製のものも適用可能である。
【００７３】
前記実施形態では、ハンドル２９の突出部材２９３は、ハンドル２９の幅方向に設けたが、これに垂直な方向に設けてもよい。例えば、突出部材を略円筒状とした場合、収納部および本体設置部材のスライド規制部は、突出部材に対応する位置に略Ｃ字状に形成し、突出部材とスライド規制部が嵌合するようにして、ハンドル本体のスライドを規制してもよい。なお、突出部材がハンドル本体の幅方向に設けられている場合、ハンドル本体が突出したときに、突出部材を回動中心とすることができる。
また、突出部材２９３は、ハンドル２９の幅方向外側または内側のみに突設される構成であってもよい。
さらに、突出部材２９３は略円柱状でなくともよく、ガイド溝の先端に設けられたスライド規制部が、突出部材を受けて回動する構成としてもよい。
【００７４】
前記実施形態では、ハンドル収納部８０は、ロアーケース１２の底面部１２Ａに形成されたレール８１と、ロアーケース１２とは別部材のカバー部材８２とから構成したが、ハンドルを備えたガイド部をロアーケースとは別部材として構成し、このガイド部材をロアーケースに取り付ける構造を採用してもよい。
【００７５】
前記実施形態では、カバー部材８２は、２つのガイド部８２１を２つの連結部８２２、８２３で連結しているが、連結せずにガイド部８２１をそれぞれ別体としてもよい。
【００７６】
前記実施形態では、３つの光変調装置を用いたプロジェクタ１の例のみを挙げたが、１つの光変調装置のみを用いたプロジェクタ、２つの光変調装置を用いたプロジェクタ、あるいは、４つ以上の光変調装置を用いたプロジェクタにも適用可能である。
また、光変調装置として液晶パネル４４１を用いたが、マイクロミラーを用いたデバイスなど、液晶以外の光変調装置を用いてもよい。
さらに、前記実施形態では、光入射面と光射出面とが異なる透過型の光変調装置を用いていたが、光入射面と光射出面とが同一となる反射型の光変調装置を用いてもよい。
【００７７】
前記実施形態では、光学ユニット４のリレー光学系４３に、青色光を通したが、他の色光をリレー光学系に通す光学ユニットを備えたプロジェクタにも適用可能である。
また、前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【図面の簡単な説明】
【図１】本実施形態に係るプロジェクタを上方前面側から見た斜視図。
【図２】前記実施形態におけるプロジェクタを下方前面側から見た斜視図。
【図３】前記実施形態におけるプロジェクタを後方背面側から見た斜視図。
【図４】前記実施形態におけるリアケースを上方から見た平面図。
【図５】前記実施形態におけるリアケースにおけるリモートコントローラの設置位置を示す斜視図。
【図６】前記実施形態におけるプロジェクタの内部構造を示す斜視図。
【図７】前記実施形態におけるプロジェクタの内部構造を示す斜視図。
【図８】前記実施形態における光学ユニットの光学系を示す模式図。
【図９】前記実施形態におけるライトガイドの構造を示す斜視図。
【図１０】前記実施形態におけるロアーケースの内面を示す斜視図。
【図１１】前記実施形態におけるロアーケースを示す断面図。
【図１２】前記実施形態におけるプロジェクタの側面を示す図。
【符号の説明】
１・・・プロジェクタ、２・・・外装ケース（筐体）、１２Ａ・・・底面部（設置面）、１２Ａ２・・・孔、２４・・・固定脚部、２５・・・調整脚部、２９・・・ハンドル、８０・・・ハンドル収納部、８１・・・レール、８２・・・カバー部材、８１Ａ・・・内面（第１案内面）、８１Ｃ・・・スライド規制部、２９１・・・把手部、２９２・・・腕部、２９３・・・突出部材、８２１Ａ１・・・内面（第２案内面）、８２１Ａ２・・・スライド規制部
【図１】
2004272093.tif 000003
【図２】
2004272093.tif 000004
【図３】
2004272093.tif 000005
【図４】
2004272093.tif 000006
【図５】
2004272093.tif 000007
【図６】
2004272093.tif 000008
【図７】
2004272093.tif 000009
【図８】
2004272093.tif 000010
【図９】
2004272093.tif 000011
【図１０】
2004272093.tif 000012
【図１１】
2004272093.tif 000013
【図１２】
2004272093.tif 000014